(57)【特許請求の範囲】
【請求項１】
前面に開口を有した断熱壁にて構成された本体と、前記断熱壁の内側に間隔を存して配設された仕切板と、この仕切板の内側に形成された貯蔵室と、この貯蔵室の上部に形成された吐出口と、貯蔵室の下部に形成された吸込口と、前記貯蔵室に複数形成された棚装置とを備え、この棚装置は棚板と、棚板の前方に設けられたプライスレールと、前記棚板とプライスレールとの間に挿入されるガードとを備えたオープンショーケースにおいて、前記吐出口より吸込口に向かってエアーカーテンを形成すると共に、前記ガードをエアーカーテンに対して略平行になるように取付角度を容易に変更可能に取り付けられたことを特徴とするオープンショーケース。
【発明の詳細な説明】
【０００１】
【発明の属する技術分野】
本発明は、貯蔵室内に架設される棚装置を有するオープンショーケースに関するものである。
【０００２】
【従来の技術】
従来よりこの種オープンショーケースにおいては、例えば特公平４−５７３３１号公報に示される如く貯蔵室内に棚装置が取り付けられており、この棚装置は、支柱に支持された一対のブラケット上に棚を架設して構成されている。
【０００３】
以下、係る従来の棚装置を備えたオープンショーケースを、図８に基づいて説明する。従来のオープンショーケース１００は、断面略コ字状の断熱壁２と、この断熱壁２の両側に取り付けられた図示しない側板とから構成されている。この断熱壁２の内側には、貯蔵室１１が形成されており、断熱壁２の上部前端には冷気を吐出する内外層の吐出口１６、１７が形成されると共に、断熱壁２の下部前端には冷気を吸い込む吸込口１８、１９が形成されている。
【０００４】
また、断熱壁２内の背部には、貯蔵室１１内を冷却するための図示しない冷却器及び送風機が取り付けられており、各吐出口１６、１７及び吸込口１８、１９に連通している。これにより、冷却装置を運転すると断熱壁２の前面開口１２にはエアーカーテンが形成される。
【０００５】
一方、貯蔵室１１内には図示しない支柱に支持された一対のブラケット３１上に棚板３２を架設してなる棚装置が取り付けられている。このブラケット３１は高さ及び取り付け角度を変更可能とされており、ブラケット３１に架設された棚板３２の前壁には棚板３２上に陳列された商品の品名や価格等を記載した紙等を表示したカードを保持するためのプライスレール１０１が着脱自在に取り付けられる。
【０００６】
そして、このプライスレール１０１と棚板３２の前壁間には棚板３２上に陳列された商品の落下等を防止するためのガード１０２が挿入されて取り付けられていた。
【０００７】
【発明が解決しようとする課題】
しかしながら、従来のプライスレール１０１では、ガード１０２を棚板３２の前壁に密着させ、棚板３２に対して垂直に取り付ける構造となっていたため、図８に示す如くブラケット３１を前側に低く傾斜して取り付ける場合には、ガード１０２はエアーカーテンの障壁となる如く棚板３２から突出することになり、エアーカーテンが乱され、冷却効率に悪影響をもたらす問題があった。
【０００８】
本発明は、係る従来の技術的課題を解決するために成されたものであり、貯蔵室内を十分に冷却するためのエアーカーテンを形成したオープンショーケースを提供することを目的とする。
【０００９】
【課題を解決するための手段】
本発明のオープンショーケースは、前面に開口を有した断熱壁にて構成された本体と、前記断熱壁の内側に間隔を存して配設された仕切板と、この仕切板の内側に形成された貯蔵室と、この貯蔵室の上部に形成された吐出口と、貯蔵室の下部に形成された吸込口と、前記貯蔵室に複数形成された棚装置とを備え、この棚装置は棚板と、棚板の前方に設けられたプライスレールと、前記棚板とプライスレールとの間に挿入されるガードとを備えたオープンショーケースにおいて、前記吐出口より吸込口に向かってエアーカーテンを形成すると共に、前記ガードをエアーカーテンに対して略平行になるように取付角度を容易に変更可能に取り付けられたものである。
【００１０】
本発明によれば、ガードをエアーカーテンに対して略平行に形成したことにより、ガードが吐出口から吸込口にわたって形成されるエアーカーテンの冷気流に対してガイドとして作用し、貯蔵室内を十分に冷却することができる。
【００１１】
また、店舗の要望に応じて棚板の角度を変更した場合に、ガードの取付角度を容易に変更し、貯蔵室内の冷却効率を著しく改善するためのエアーカーテンを形成することができるようになる。
【００１２】
【発明の実施の形態】
次に、図面に基づき本発明の実施形態を詳述する。図１は本発明の棚装置を採用した実施例としての低温ショーケース１の斜視図、図２は低温ショーケース１の縦断側面図をそれぞれ示している。実施例の低温ショーケース１は、断面略コ字状の断熱壁２と、この断熱壁２の両側に取り付けられた側板３、３とから構成されている。断熱壁２の内側にはそれぞれ間隔を存して仕切板４、５が取り付けられ、これら仕切板４、５と断熱壁２間に内外二層のダクト６、７が形成されている。
【００１３】
内側の仕切板４を構成する背部仕切板１０の下端前方には底板９が断熱壁２の底壁２Ａとの間にダクト用の間隔を存して取り付けられており、これら仕切板４及び底板９の内側を貯蔵室１１としている。また、この貯蔵室１１内には、高さ及び取り付け角度が変更可能であると共に、貯蔵室１１内背部の支柱２８に取り付けられる一対のブラケット３１及びこのブラケット３１に支持されてこれらと共に本発明の棚装置を構成する棚板３２が複数段に渡って架設されている。
【００１４】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には内層吸込口１８と外層吸込口１９が並設されている。
【００１５】
一方、底板９下方後部には断熱壁２の底壁２Ａ上に前記内層ダクト６及び前記外層ダクト７のそれぞれに対応する図示しない送風機が複数台設置されている。
【００１６】
背部仕切板１０後方の内層ダクト内には冷却装置の図示しない冷却器が縦設されており、前記内層ダクト６に対応した送風機が運転されると冷却器と熱交換した冷気は内層ダクト６内を上昇せられ、内層吐出口１６より内層吸込口１８に向かって吐出される。そして、内層吸込口１８から吸い込まれた冷気は再び前記送風機によって加速される。
【００１７】
一方、前記外層ダクト７に対応した送風機が運転されると外層ダクト７内の空気は外層ダクト７内を上昇せられ、外層吐出口１７より外層吸込口１９に向かって吐出される。そして、外層吸込口１９から吸い込まれた空気は再び前記送風機によって加速される。これによって、開口１２には前後二重のエアーカーテンが形成され、内側の冷気エアーカーテンの一部が貯蔵室１１内に循環されて貯蔵室１１は冷却される。
【００１８】
一方、断熱壁２の天壁２Ｂ前端にはパネル３３が取り付けられており、このパネル３３の前面には温度計３８が設けられている。
【００１９】
次に、図３乃至図５を参照して本発明の棚装置を説明する。実施例の棚装置を構成する前記棚板３２は、前縁を下方に略垂直に折曲して構成された前壁４０と、この前壁４０の下端から略直角に後方に折曲された後向きのフランジ４１と、後縁において下方に折曲された後壁４２と、この後壁４２の下端から前方に折曲された前向きのフランジ４３とを有する塗装鋼板４４と、この塗装鋼板４４の左右両側縁下面に沿って溶接固定され、前記ブラケット３１に載置される左右一対の鋼板製第一補強材４５と、両第一補強材４５間に位置するよう前記塗装鋼板４４の長手方向の下面に沿って溶接固定された鋼板製第二補強材４６とから成るものである。
【００２０】
５０は、棚板３２の前縁に沿って取り付けられ、この棚板３２の装飾体を兼用するプライスレールであり、硬質合成樹脂により成形されている。係るプライスレール５０は、棚板３２の前面に位置する前壁部５１と、この前壁部５１の下端から後方に水平に延びる連壁部５２と、この連壁部５２の後端に連結され、全体として後上がりに傾斜する後壁部４９とから構成されている。
【００２１】
前記前壁部５１は凹状に湾曲しており、その上縁前面に沿って第一、第二係止片５５、５６、下縁に沿って第三係止片５７がそれぞれ形成されており、この第一、第二係止片５５、５６のいずれか一方と、第三係止片５７との双方でもって棚板３２に載置された商品の品名や価格等を記載した紙又は樹脂シートからなる図示しない表示カードを係脱自在に保持する。
【００２２】
また、この前壁部５１には上縁裏面から後方に向かって延びる略Ｌ字状の第一突起５８と、この突起５８の下方に間隔を存して位置するよう前壁部５１の途中から後方に延びる第二突起５９とが形成されている。
【００２３】
更に、前記後壁部４９には前記棚板３２のフランジ４１を嵌合するための前向きの第一、第二嵌合溝６０、６１と、下方に突出する突起６２が形成されている。前記第一嵌合溝６０は、先端下面に前記フランジ４１の上面に接する突条６３及びその先端上面に垂直に起立する起立条６４を備えた支持部６５と、段差面６６と前記連壁部５２の後部に形成された第一下壁部６７とにより画成され、また、第一嵌合溝６０の上後方に位置する前記第二嵌合溝６１は、先端下面に前記フランジ４１の上面に接する突条６８及びその先端上面に垂直に起立する起立条６９を備えた支持部７０と、段差面７１より形成された第二下壁部７２とにより画成されている。
【００２４】
そして、前壁部５１と第二突起５９及び支持部６５の起立条６４によって斜め上後方に開口する凹所５３が構成され、支持部６５の起立条６４と支持部７０の起立条６９及び第二下壁部７２によって、略垂直上方に開口する凹所５４が形成されている。また、この凹所５４は凹所５３の後側に位置している。
【００２５】
尚、４８は透明なガラス或いは樹脂板からなるガードであり、棚板３２上に載置された商品の落下を阻止するためのものである。
【００２６】
以上の構成で、図３及び図４を参照して、棚板３２が前下がりに傾斜して取り付けられた場合を説明する。この場合において、前記ブラケット３１は、棚板３２の前端が前下がりとなるように支柱２８に取り付けられている。先ずはじめに、棚板３２の前壁４０のフランジ４１をプライスレール５０の第二嵌合溝６１に挿入する。このとき棚板３２の前壁４０裏面には支持部７０が当接し、プライスレール５０を支持している。
【００２７】
この状態では、棚板３２の前壁４０とプライスレール５０の前壁部５１に形成された第一突起５８間には間隔が形成され、この間隔にガード４８を上から差し込む。この場合ガード４８の下部は、プライスレール５０の前壁部５１に形成された第二突起５９と後壁部４９の支持部６５とにより画成された凹所５３に収容する。
【００２８】
この状態でガード４８は、凹所５３と、棚板３２の前壁４０と、プライスレール５０の第一突起５８とに接して支持され、ガード４８の上部が棚板３２側に傾倒した状態で保持される（図４）。このとき、棚板３２は図３の如く前下がりに傾斜しているので、ガード４８は図２に示す如く棚板３２上方から下方にわたって形成されるエアーカーテンの冷気流に沿い、垂直或いは上部が後方に少許傾斜状態となる。
【００２９】
そのため、エアーカーテンに対して棚板３２に取り付けられたガード４８がガイドの作用をし、貯蔵室１１内の冷気循環が円滑に行われると共に、貯蔵室１１内の冷却効率を著しく改善することができるようになる。
【００３０】
次に、図６及び図７を参照して、棚板３２が支柱２８に対して水平に取り付けられた場合を説明する。この場合において、前記ブラケット３１は、棚板３２が支柱２８に対して水平となるように支柱２８に取り付けられている。プライスレール５０の取り付け状態は上述と同様であるが、この場合、ガード４８の下部は、プライスレール５０の後壁部４９に形成された支持部６５と支持部７０とにより画成された凹所５４に収容する。
【００３１】
これにより、ガード４８は棚板３２に対して略直立した状態でプライスレール５０に保持されるので、貯蔵室１１内ではエアーカーテンに沿って略垂直に起立するかたちとなる。
【００３２】
このように、店舗の要望に応じて棚板３２の角度を変更した場合に、ガード４８を挿入する凹所の位置を変更するのみで、ガード４８の取付角度を容易に変更し、貯蔵室１１内の冷却効率を著しく改善するためのエアーカーテンを形成することができるようになる。
【００３３】
【発明の効果】
本発明によれば、ガードをエアーカーテンに対して略平行に形成したことにより、ガードが吐出口から吸込口にわたって形成されるエアーカーテンの冷気流に対してガイドとして作用し、貯蔵室内を十分に冷却することができる。
【００３４】
また、店舗の要望に応じて棚板の角度を変更した場合に、ガードの取付角度を容易に変更し、貯蔵室内の冷却効率を著しく改善するためのエアーカーテンを形成することができるようになる。
【図面の簡単な説明】
【図１】  本発明の棚装置を採用した実施例としての低温ショーケースの斜視図である。
【図２】  同低温ショーケースの縦断側面図である。
【図３】  本発明の棚装置の側面図である。
【図４】  図３の部分拡大側面図である。
【図５】  本発明のプライスレールの拡大断面図である。
【図６】  本発明の棚装置のもう一つの側面図である。
【図７】  図６の部分拡大側面図である。
【図８】  従来の棚装置を適用した低温ショーケースの縦断側面図である。
【符号の説明】
１  ショーケース
１１  貯蔵室
３１  ブラケット
３２  棚板
４０  前壁
４１  フランジ
４８  ガード
４９  後壁部
５０  プライスレール
５１  前壁部
５２  連壁部
５３、５４  凹所
５８  第一突起
５９  第二突起
６０  第一嵌合溝
６１  第二嵌合溝
６２  突起
６５、７０  支持部
【図１】
0003831542.tif 000002
【図２】
0003831542.tif 000003
【図３】
0003831542.tif 000004
【図４】
0003831542.tif 000005
【図５】
0003831542.tif 000006
【図６】
0003831542.tif 000007
【図７】
0003831542.tif 000008
【図８】
0003831542.tif 000009